(57)【要約】  本発明の表示装置は、入力画像からＢＬ制御パラメータを算出するＢＬ制御パラメータ算出部（２２４）と、ＢＬ制御パラメータからＢＬ輝度制御信号を生成するＢＬ輝度制御信号生成ブロック（２３０）と、表示制御部が休止している休止期間開始直前に、上記ＢＬ制御パラメータ算出部（２２４）によって算出されたＢＬ制御パラメータを、上記ＢＬ輝度制御信号生成ブロック（２３０）に出力する上記出力部（２２５）を備える。
2012141142.tif 000002
【特許請求の範囲】
【請求項１】
表示パネルに対して光を照射する光源と、
上記光源の輝度を制御する光源輝度制御信号に応じて、上記光源における輝度を制御する光源輝度制御部と、
上記表示パネルを駆動制御するための表示制御部と、
上記表示制御部を所定周期で所定期間休止させる休止制御部と、
入力画像の階調情報から光源制御パラメータを算出する光源制御パラメータ算出部と、
上記光源制御パラメータから、上記光源の輝度を制御する光源輝度制御信号を生成する光源輝度制御信号生成部と、
上記光源制御パラメータ算出部によって算出された光源制御パラメータを、上記光源輝度制御信号生成部に出力する光源制御パラメータ出力部とを備え、
上記光源制御パラメータ出力部は、
上記休止制御部によって上記表示制御部が休止している休止期間中、上記休止期間開始直前に、上記光源制御パラメータ算出部によって算出された光源制御パラメータを、上記光源輝度制御信号生成部に出力することを特徴とする表示装置。
【請求項２】
上記光源制御パラメータ出力部は、
入力画像の階調情報から得られた階調が異なる画像の切り替わるタイミングで、上記休止制御部によって上記表示制御部が休止している休止期間中に、上記休止期間開始直前に、上記光源制御パラメータ算出部によって算出された光源制御パラメータを、上記光源輝度制御信号生成部に出力することを特徴とする請求項１に記載の表示装置。
【請求項３】
上記光源制御パラメータ算出部によって算出された光源制御パラメータをフレームに対応付けて記憶するメモリを備え、
上記光源制御パラメータ出力部は、
上記休止制御部によって上記表示制御部が休止している休止期間中、上記メモリから、上記休止期間開始直前のフレームに対応付けられた光源制御パラメータを読み出して上記光源輝度制御信号生成部に出力することを特徴とする請求項１または２に記載の表示装置。
【請求項４】
上記休止制御部は、
上記表示制御部の駆動を停止させるための指示信号として休止信号を、上記光源制御パラメータ出力部に出力し、
上記光源制御パラメータ出力部は、
休止信号が入力されるタイミングで、上記メモリから上記休止期間開始直前のフレームに対応する光源制御パラメータを読み出して上記光源輝度制御信号生成部に出力することを特徴とする請求項３に記載の表示装置。
【請求項５】
上記光源制御パラメータ算出部は、
隣接するフレームの明るさを示す値が異なるとき、２つの明るさを示す値から少なくとも一つの中間値を求めて、それぞれの明るさを示す値に対応した光源制御パラメータを算出することを特徴とする請求項４に記載の表示装置。
【請求項６】
上記光源輝度制御信号生成部は、
隣接するフレームの明るさを示す値が異なるとき、２つの明るさを示す値から少なくとも一つの中間値を求めて、それぞれの明るさを示す値に対応した光源輝度制御信号を出力することを特徴とする請求項４に記載の表示装置。
【請求項７】
上記表示パネルは、液晶表示パネルであることを特徴とする請求項１〜６の何れか１項に記載の表示装置。
【請求項８】
表示パネルに対して光を照射する光源と、上記光源の輝度を制御する光源輝度制御信号に応じて、上記光源における輝度を制御する光源輝度制御部と、上記表示パネルを駆動制御するための表示制御部と、上記表示制御部を所定周期で所定期間休止させる休止制御部と、入力画像の階調情報から光源制御パラメータを算出する光源制御パラメータ算出部と、上記光源制御パラメータから、上記光源の輝度を制御する光源輝度制御信号を生成する光源輝度制御信号生成部と、上記光源制御パラメータ算出部によって算出された光源制御パラメータを、上記光源輝度制御信号生成部に出力する光源制御パラメータ出力部とを備えた表示装置の表示方法であって、
上記光源制御パラメータ出力部によって、
上記休止制御部によって上記表示制御部が休止している休止期間中、上記休止期間開始直前に、上記光源制御パラメータ算出部によって算出された光源制御パラメータを、上記光源輝度制御信号生成部に出力する工程を含むことを特徴とする表示装置の表示方法。
【発明の詳細な説明】
【技術分野】
【０００１】
本発明は、バックライト等の光源を備えた液晶表示装置等の表示装置に関する。
【背景技術】
【０００２】
液晶表示装置において消費電力の低減を考えた場合、液晶表示駆動回路の駆動周波数を通常駆動時の駆動周波数よりも低く設定することで、低消費電力化を図る技術が提案されている（特許文献１等）。【０００３】
しかしながら、上記の技術では、低消費電力時であっても、駆動周波数を制御するための制御信号を出力するための制御回路、液晶表示駆動回路が駆動状態にあるので、消費電力を十分に低減できないという問題がある。【０００４】
そこで、液晶表示装置において、制御回路、液晶表示駆動回路を所定周期で休止させることによって、消費電力を低減させる技術（以下、休止駆動と称する）が提案されている（特許文献２等）。【０００５】
また、液晶表示装置において、入力画像に合わせて画像処理およびバックライトの輝度を制御することで、消費電力を低減する技術（アクティブバックライト駆動：ＬＡＢＣ等）が知られている。この技術（以下、アクティブバックライト駆動と称する）によれば、入力画像に合わせてバックライトの輝度が制御されることで、表示品位の向上を図りつつ、消費電力の低減化を可能としている。
【先行技術文献】
【特許文献】
【０００６】
【特許文献１】日本国公開特許公報「特開２０００−３４７７６２号公報（２０００年１２月１５日公開）」
【特許文献２】日本国公開特許公報「特開２００５−３７６８５号公報（２００５年２月１０日公開）」
【発明の概要】
【発明が解決しようとする課題】
【０００７】
ところで、液晶表示装置において、更なる消費電力の低減を考えた場合、上述したアクティブバックライト駆動と休止駆動とを組み合わせることが考えられる。【０００８】
しかしながら、アクティブバックライト駆動と休止駆動とを単純に組み合わせただけでは、種々の問題が生じる。例えば、休止期間中、液晶表示装置のほとんどの駆動回路が停止しているので、バックライトを駆動させるための駆動回路も停止している。このため、休止期間中、バックライトが点灯しないので、表示が暗くなり、表示品位が低下するという問題が生じる。例えば、駆動期間から休止期間に掛けて同じ表示画像を表示し続けた場合、駆動期間と休止期間との切り替えにより輝度が変化して、ちらついたように見えて、表示品位を低下させるという問題が生じる。【０００９】
また、休止期間にもバックライトを点灯させるように考えた場合、アクティブバックライト駆動では、入力画像に合わせてバックライトの輝度がコントロールされているので、休止期間のように入力画像が新たに入力されない期間では、バックライトの輝度を適切にコントロールすることができない。このため、駆動期間と休止期間とでバックライトの輝度の差が大きくなる虞があるので、ちらつきなどの不具合が生じる可能性があり、やはり表示品位を低下させるという問題が生じる。【００１０】
本発明は、上記の各問題点に鑑みなされたものであり、その目的は、入力画像に合わせてバックライトの輝度を制御すると共に、駆動期間と休止期間とを交互に切り替えて表示を行う表示装置において、駆動期間から休止期間に切り替わる際の画像のちらつきを無くし、表示品位の高い表示装置を提供することにある。
【課題を解決するための手段】
【００１１】
本発明の表示装置は、表示パネルに対して光を照射する光源と、上記光源の輝度を制御する光源輝度制御信号に応じて、上記光源における輝度を制御する光源輝度制御部と、上記表示パネルを駆動制御するための表示制御部と、上記表示制御部を所定周期で所定期間休止させる休止制御部と、入力画像の階調情報から光源制御パラメータを算出する光源制御パラメータ算出部と、上記光源制御パラメータから、上記光源の輝度を制御する光源輝度制御信号を生成する光源輝度制御信号生成部と、上記光源制御パラメータ算出部によって算出された光源制御パラメータを、上記光源輝度制御信号生成部に出力する光源制御パラメータ出力部とを備え、上記光源制御パラメータ出力部は、上記休止制御部によって上記表示制御部が休止している休止期間中、上記休止期間開始直前に、上記光源制御パラメータ算出部によって算出された光源制御パラメータを、上記光源輝度制御信号生成部に出力することを特徴としている。【００１２】
上記構成によれば、光源制御パラメータ出力部は、休止制御部によって表示制御部が休止している休止期間中、上記休止期間開始直前に、上記光源制御パラメータ算出部によって算出された光源制御パラメータを、上記光源輝度制御信号生成部に出力しているので、休止期間開始直前から休止期間が終了するまで光源の輝度を同じにできる。これにより、休止期間開始直前までの光源の輝度と、休止期間中の光源の輝度とが異なることによる表示画像のちらつきを無くすことが可能となり、表示品位の高い表示装置が実現できる。【００１３】
したがって、入力画像に合わせて光源の輝度を制御すると共に、駆動期間と休止期間とを交互に切り替えて表示を行う表示装置において、駆動期間から休止期間に切り替わる際の画像のちらつきを無くし、表示品位の高い表示装置を提供することができるという効果を奏する。
【発明の効果】
【００１４】
本発明は、表示パネルに対して背面から光を照射する光源と、上記光源の輝度を制御する光源輝度制御信号に応じて、上記光源における輝度を制御する光源輝度制御部とを備えた表示装置において、上記表示パネルを駆動制御するための表示制御部と、上記表示制御部を所定周期で所定期間休止させる休止制御部と、入力画像の階調情報から光源制御パラメータを算出する光源制御パラメータ算出部と、上記光源制御パラメータから、上記バックライユニットの輝度を制御する光源輝度制御信号を生成する光源輝度制御信号生成部と、上記光源制御パラメータ算出部によって算出された光源制御パラメータを、上記光源輝度制御信号生成部に出力する光源制御パラメータ出力部とを備え、上記光源制御パラメータ出力部は、上記休止制御部によって上記表示制御部が休止している休止期間中、上記休止期間開始直前に、上記光源制御パラメータ算出部によって算出された光源制御パラメータを、上記光源輝度制御信号生成部に出力する構成である。【００１５】
これにより、入力画像に合わせて光源の輝度を制御すると共に、駆動期間と休止期間とを交互に切り替えて表示を行う表示装置において、駆動期間から休止期間に切り替わる際の画像のちらつきを無くし、表示品位の高い表示装置を提供することができるという効果を奏する。
【図面の簡単な説明】
【００１６】
【図１】本発明の実施の形態１に係る表示装置の全体を示す概略構成ブロック図である。
【図２】図１に示す表示装置が休止期間にあるときの表示装置全体を示す概略構成ブロック図である。
【図３】本実施の形態１にかかる表示装置に備えられた画像処理ブロックとＢＬ輝度制御信号生成ブロックとの関係を明確にしたブロック図である。
【図４】（ａ）は、入力画像信号を示した図であり、（ｂ）は、休止判別信号の波形図であり、（ｃ）は、ＢＬ制御パラメータを示した図であり、（ｄ）は、ＰＷＭ信号の波形図である。
【図５】本実施の形態２にかかる表示装置に備えられた画像処理ブロックとＢＬ輝度制御信号生成ブロックとの関係を明確にしたブロック図である。
【図６】（ａ）は、入力画像信号を示した図であり、（ｂ）は、休止判別信号の波形図であり、（ｃ）は、ＢＬ制御パラメータを示した図であり、（ｄ）は、ＰＷＭ信号の波形図である。
【図７】本実施の形態３にかかる表示装置に備えられた画像処理ブロックとＢＬ輝度制御信号生成ブロックとの関係を明確にしたブロック図である。
【図８】（ａ）は、入力画像信号を示した図であり、（ｂ）は、休止判別信号の波形図であり、（ｃ）は、ＢＬ制御パラメータを示した図であり、（ｄ）は、内部パラメータを示した図であり、（ｅ）は、ＰＷＭ信号の波形図である。
【発明を実施するための形態】
【００１７】
以下、本発明の各実施の形態について、詳細に説明する。
【００１８】
＜実施の形態１＞
本実施の形態について説明すれば、以下の通りである。なお、本実施の形態では、少消費電力を実現するために、駆動期間と休止期間とを所定の周期で繰り返して表示パネルを駆動する休止駆動を行う表示装置を例に説明する。この休止駆動の詳細については後述する。
【００１９】
図１は、表示装置１００全体の概略構成ブロック図を示す。
【００２０】
図２は、図１に示す表示装置１００のブロックにおいて、休止期間中に休止するブロックを明示した図である。図２では、［休止］を付したブロックが休止期間中に休止しているブロックを示している。
【００２１】
（表示装置１００全体説明）
上記表示装置１００は、図１に示すように、タイミングコントロール部２００、走査線駆動回路３００、信号線駆動回路４００、表示パネル５００、バックライトユニット(光源）６００、バックライトユニット制御部（光源輝度制御部）７００を含んでいる。
【００２２】
なお、本実施の形態では、上記表示パネル５００として、マトリクス状に配置されたＴＦＴと、これらのＴＦＴに接続された画素電極とを含むアクティブマトリクス基板と、当該アクティブマトリクス基板の画素電極に対向して設けられた対向基板との間に液晶層を介在した液晶表示パネルを備えた液晶表示装置を例に説明する。
【００２３】
（タイミングコントロール部２００）
上記タイミングコントロール部２００は、タイミング生成ブロック（休止制御部）２１０、画像処理ブロック２２０、ＢＬ輝度制御信号生成ブロック(光源輝度制御信号生成部
）２３０を含んでおり、垂直／水平同期信号、入力画像信号が入力され、走査線駆動回路制御信号を走査線駆動回路３００に送り、信号線駆動回路生後信号および出力画像信号を信号線駆動回路４００に送るようになっている。なお、タイミングコントロール部２００は、休止判定信号を走査線駆動回路３００および信号線駆動回路４００に送るようになっている。これらの信号についての詳細は後述する。
【００２４】
（走査線駆動回路３００）
上記走査線駆動回路３００は、タイミングコントロール部２００からの走査線駆動回路制御信号により、表示パネル５００のＴＦＴのオン期間を制御し、後述する信号線駆動回路４００からの電圧が表示パネル５００を構成している液晶に適切なタイミングで印加するようになっている。
【００２５】
なお、上記走査線駆動回路３００には、タイミングコントロール部２００からの休止判定信号が入力されるようになっており、当該休止判定信号がハイレベルの期間（休止期間）の間、駆動停止するようになっている。
【００２６】
（信号線駆動回路４００）
上記信号線駆動回路４００は、タイミングコントロール部２００からの信号線駆動回路制御信号と、出力画像信号とから、上記表示パネル５００に当該出力画像信号に応じた各種の電圧を印加するようになっている。この印加のタイミングは、上述した走査線駆動回路３００のオン期間によって決まる。
【００２７】
なお、上記信号線駆動回路４００には、タイミングコントロール部２００からの休止判定信号が入力されるようになっており、当該休止判定信号がハイレベルの期間（休止期間）の間、駆動停止するようになっている。
【００２８】
（表示パネル５００）
上記表示パネル５００は、上述したように、液晶表示パネルからなり、信号線駆動回路４００によって印加される電圧により画像表示を行うようになっている。なお、表示パネル５００は、休止期間中、走査線駆動回路３００、信号線駆動回路４００からの電圧が印加されないので、駆動停止状態（休止状態）にある。しかしながら、表示パネル５００を構成している液晶にはホールド機能があるので、休止期間開始直前の画像を休止期間中も継続して表示することが可能となっている。このため、見かけ上、駆動休止していないようになっている。したがって、休止期間に、表示パネル５００の表示を適切に行うには、バックライトユニット６００によりバックライト駆動が休止していない必要がある。
【００２９】
（バックライトユニット６００）
上記バックライトユニット６００は、上記表示パネル５００を背面から光照射するようになっている。
【００３０】
上記バックライトユニット６００を構成する光源としては、複数のＬＥＤを用いる。具体的には、表示パネル５００の背面に対向する位置にＬＥＤを複数平面状に配置した直下型のＬＥＤバックライト装置を用いる。このように直下型のＬＥＤバックライトであれば、各ＬＥＤの輝度を調整することで、バックライト部全体の輝度を容易に調整することが可能となる。このＬＥＤ輝度調整用の信号がバックライトユニット制御部７００から送られる。
【００３１】
なお、上記バックライトユニット６００としては、直下型のＬＥＤバックライトに限定されるものではなく、表示パネル５００のエッジに配置されたエッジライト型のＬＥＤバックライトであってもよい。
【００３２】
また、バックライトユニット６００の光源としては、ＬＥＤを例に説明したが、輝度調整が可能であれば、冷陰極管、熱陰極管などの既存の光源を利用してもよい。
【００３３】
（バックライトユニット制御部７００）
上記バックライトユニット制御部７００は、タイミングコントロール部２００からのＢＬ輝度制御信号を受け取り、ＢＬ輝度制御信号に応じたバックライトユニット６００の輝度調整用の信号（ＬＥＤ輝度調整用の信号）を生成し、バックライトユニット６００に送る。
【００３４】
ここで、上述したタイミングコントロール部２００について詳細に説明する。
【００３５】
（タイミング生成ブロック２１０）
上記タイミング生成ブロック２１０は、垂直／水平同期信号が入力され、これら同期信号から、タイミング信号としての走査線駆動回路制御信号と、信号線駆動回路制御信号とを生成し、出力する。上記走査線駆動回路制御信号は、走査線駆動回路３００に送られ、上記信号線駆動回路制御信号は、信号線駆動回路４００に送られる。
【００３６】
また、上記タイミング生成ブロック２１０は、後述する画像処理ブロック２２０（表示制御部）を所定周期で所定期間休止を指示するための指示信号としての休止判別信号を生成するブロックである。具体的には、上記タイミング生成ブロック２１０は、入力された垂直／水平同期信号から、休止期間中に、表示装置１００内のほとんどのブロックの動作を停止させるか否かを判別するための休止判別信号を生成し、出力するようになっている。この休止判別信号は、ハイレベルとローレベルとの二値の信号であり、画像処理ブロック２２０、走査線駆動回路３００、信号線駆動回路４００、ＢＬ輝度制御信号生成ブロック２３０に出力される。上記休止判別信号がハイレベルのとき、画像処理ブロック２２０の一部と、走査線駆動回路３００、信号線駆動回路４００との駆動が停止する。
【００３７】
また、入力された休止判別信号がハイレベル、ローレベルに関わらず停止しないのは、ＢＬ輝度制御信号生成ブロック２３０と、このＢＬ輝度制御信号生成ブロック２３０にＢＬ制御パラメータを送り続ける画像処理ブロック２２０内の出力部２２５である。
【００３８】
つまり、本実施の形態では、表示装置１００のうち、休止判別信号がハイレベルの期間、すなわち休止期間中、画像処理関係のブロックおよび回路は停止するが、バックライト関係のブロックおよび回路は停止しない。
【００３９】
なお、上記休止判別信号のハイレベルの期間（休止期間）と、ローレベルの期間（駆動期間）との決定については、後述する。
【００４０】
（画像処理ブロック２２０）
上記画像処理ブロック２２０は、入力画像信号から、表示パネル５００において適切に表示できるように画像処理を施した出力画像信号を生成するブロック（表示制御部）であり、画像解析部２２１、階調変換部２２２、階調特性決定部２２３、ＢＬ制御パラメータ算出部（光源制御パラメータ算出部）２２４、出力部（光源制御パラメータ出力部）２２５、メモリ２２６を含んでいる。
【００４１】
（画像解析部２２１）
上記画像解析部２２１は、入力画像信号から、画像全体の明るさを解析し、解析結果を階調特性決定部２２３とＢＬ制御パラメータ算出部２２４に送る。ここで、画像全体の明るさの解析とは、１フレーム分の画像信号から画像の明るさを示すパラメータを抽出することである。例えば、画像の明るさとしては、１フレーム分の画像を所定の領域ごとに分割して、各領域での明るさを求めて画像の明るさとしてもよいし、１フレーム分の入力画像信号の階調平均値、最大値などを明るさとしてもよい。
【００４２】
（階調特性決定部２２３）
上記階調特性決定部２２３は、画像解析部２２１から送られた画像解析結果から、１フレーム分の画像全体の階調特性を決定し、決定した階調特性情報（階調情報）を階調変換部２２２に送る。ここで、１フレーム分の画像全体の階調特性とは、画像全体の明るさがどのような傾向にあるのかを示す特性情報である。
【００４３】
（階調変換部２２２）
上記階調変換部２２２は、階調特性決定部２２３から送られた階調特性情報に基づいて、入力画像信号の階調を変換し、変換後の入力画像信号を出力画像信号として、信号線駆動回路４００に出力する。ここで、上記階調変換とは、入力画像信号の階調を、表示パネル５００において適切に表示される階調に変換することである。
【００４４】
（ＢＬ制御パラメータ算出部２２４）
上記ＢＬ制御パラメータ算出部２２４は、画像解析部２２１から送られた画像解析結果から、１フレーム毎にＢＬ制御パラメータを算出し、出力部２２５およびメモリ２２６に送る。ここで、ＢＬ制御パラメータとは、後段のＢＬ輝度制御信号生成ブロック２３０にて、バックライトユニット６００における輝度を変化させるためのＢＬ輝度制御信号を生成するため使用するパラメータである。
【００４５】
（メモリ２２６）
上記メモリ２２６は、ＢＬ制御パラメータ算出部２２４において算出されたＢＬ制御パラメータをフレームに対応付けて順次記憶するようになっている。なお、メモリ２２６は、データの書き込みおよび読み込み可能であれば、どのような記憶媒体であってもよい。
【００４６】
（出力部２２５）
上記出力部２２５は、ＢＬ制御パラメータ算出部２２４にて算出されたＢＬ制御パラメータをＢＬ輝度制御信号生成ブロック２３０に出力するようになっている。
【００４７】
なお、上記出力部２２５は、上記ＢＬ制御パラメータ算出部２２４が休止期間に停止している場合、当該ＢＬ制御パラメータ算出部２２４からＢＬ制御パラメータが送られてこないので、代わりにメモリ２２６に記憶されたＢＬ制御パラメータをＢＬ輝度制御信号生成ブロック２３０に出力する。ここで、出力部２２５は、メモリ２２６からＢＬ制御パラメータを読み出す際に、読み出す対象のフレームを指定して、フレームに対応付けられたＢＬ制御パラメータを読み出す。したがって、本実施の形態において、出力部２２５は、休止期間の開始直前のフレームを指定してＢＬ制御パラメータを読み出すようになっている。
【００４８】
以上のことから、出力部２２５は、休止期間、駆動期間に関わらず、常にＢＬ制御パラメータをＢＬ輝度制御信号生成ブロック２３０に出力し続けることになる。
【００４９】
（ＢＬ輝度制御信号生成ブロック２３０）
上記ＢＬ輝度制御信号生成ブロック２３０は、入力されたＢＬ制御パラメータからＢＬ輝度制御信号を生成し、バックライトユニット制御部７００に送る。本実施の形態では、ＢＬ輝度制御信号として、ＰＷＭ（Pulse Width Modulation）信号を用いた例について説明する。これは、ＰＷＭ信号は、パルス幅、すなわちオン期間・オフ期間の長さを調整してデューティ比の調整が行いやすいためである。つまり、ＰＷＭ信号を用いれば、バックライトの輝度調整が行いやすいことになる。特に、ＬＥＤのように輝度調整のし易い光源の場合には、ＰＷＭ信号は好適である。
【００５０】
（休止駆動について）
本実施の形態にかかる表示装置１００は、上述したように、駆動期間と休止期間とを所定の周期で繰り返して表示パネルを駆動する休止駆動を行うようになっている。
【００５１】
上述したように、休止期間は、タイミング生成ブロック２１０から出力される休止判別信号がハイレベルの期間であり、駆動期間は、上記休止判別信号がローレベルの期間である。
【００５２】
休止期間の長さ、駆動期間の長さ、駆動期間と休止期間との周期については任意に設定することができる。
【００５３】
上記構成の表示装置１００において、休止期間に休止するブロックおよび回路は、図２に示すように、タイミングコントロール部２００内のタイミング生成ブロック２１０、画像解析部２２１、階調変換部２２２、階調特性決定部２２３、ＢＬ制御パラメータ算出部２２４、走査線駆動回路３００、信号線駆動回路４００、表示パネル５００である。一方、休止期間に駆動しているブロックおよび回路は、出力部２２５、メモリ２２６、ＢＬ輝度制御信号生成ブロック２３０、バックライトユニット６００、バックライトユニット制御部７００である。
【００５４】
つまり、本実施の形態にかかる表示装置１００では、消費電力が比較的多いとされる、画像処理関連のブロックおよび回路を停止し、バックライト関連のブロックおよび回路の駆動を継続している。
【００５５】
ところで、休止期間、駆動期間に関わらず、バックライト関連のブロックおよび回路の駆動を継続している場合、単に、駆動を継続しているだけでは、駆動期間から休止期間へ移行するときにバックライトの輝度が適切にならず、表示にちらつきなどの不具合が生じる虞がある。
【００５６】
以下に、休止期間にバックライト関連のブロックおよび回路の駆動を継続している場合のバックライトの輝度を適切に調整することで、表示にちらつきなどの不具合が生じないようにする点について説明する。
【００５７】
（バックライト駆動制御について）
図３は、図１に示した画像処理ブロック２２０とＢＬ輝度制御信号生成ブロック２３０との関係を模式的に示した図である。
【００５８】
図４の（ａ）〜図４の（ｄ）は、図３に示す入力画像信号、休止判別信号、ＢＬ制御パラメータ、ＰＷＭ信号の関係を示す図である。
【００５９】
上記画像処理ブロック２２０は、図３に示すように、入力画像信号と休止判別信号とが入力される。ここで、入力画像信号は、図４の（ａ）に示すように、明るい画像（目標値２００）と暗い画像（目標値１０）とを含む信号とする。また、休止判別信号は、図４の（ｂ）に示すように、ハイレベルとローレベルの二値の信号であり、所定の周期で休止期間（ハイレベル）と駆動期間（ローレベル）とが切り替えられている。本実施の形態では、明るい画像から暗い画像に切り替わるタイミングと、休止期間の立ち上がりのタイミングとが同じになっている。
【００６０】
なお、本実施の形態では、上述のように、明るい画像から暗い画像に切り替わるタイミングと、休止期間の立ち上がりのタイミングとを同じにしているが、これに限定されるものではない。これは、上記出力部２２５は、原則として入力画像の切り替えタイミングに関わらず、休止信号の変化を見てＢＬ制御パラメータを出力しているからである。
【００６１】
また、明るい画像から暗い画像に切り替わるタイミングと、休止期間の立ち上がりのタイミングとが同じでない場合には、出力部２２５は、入力画像の切り替わりタイミングに合わせてＢＬ制御パラメータを出力するようにすればよい。この場合には、少なくともバックライトユニット６００は、入力画像の切り替わりタイミングに合った適切なタイミングで輝度が切り替えられることになる。
【００６２】
また、上記画像処理ブロック２２０は、図３に示すように、入力画像信号を解析し、画像処理を行ってＢＬ制御パラメータを算出し、このＢＬ制御パラメータをＢＬ輝度制御信号生成ブロック２３０に出力する。ここで、ＢＬ制御パラメータは、明るい画像の目標値２００に対応する値（２００）、暗い画像の目標値１０に対する値（１０）とする。
【００６３】
画像処理ブロック２２０からは、休止期間の間、休止期間開始直前のフレーム（隣接フレーム）に対応するＢＬ制御パラメータが出力されるので、図４の（ｃ）に示すように、明るい画像から暗い画像に切り替わっても、休止期間の間（休止判別信号がハイレベルの間）は、休止期間開始直前のフレームに対応するＢＬ制御パラメータとして目標値２００に対応するＢＬ制御パラメータが出力される。
【００６４】
上記ＢＬ輝度制御信号生成ブロック２３０からは、図３に示すように、入力されるＢＬ制御パラメータに対応するＰＷＭ信号が出力される。ここでは、ＰＷＭ信号は、図４の（ｄ）に示すように、ＢＬ制御パラメータが目標値２００に対応している間は、目標値２００に対するＰＷＭ信号を出力し、明るい画像から暗い画像に切り替わって、休止期間が終了した時点で、ＢＬ制御パラメータが目標値２００から１０に切り替わるので、これに伴って、目標値１０に対するＰＷＭ信号を出力する。
【００６５】
以上のように、上記画像処理ブロック２２０では、入力される休止判別信号がハイレベルのとき（休止期間）には、図２に示すように、当該画像処理ブロック２２０を構成している画像処理に関わっているブロック（画像解析部２２１、階調変換部２２２、階調特性決定部２２３、ＢＬ制御パラメータ算出部２２４））は停止し、バックライト駆動に関わっているブロック（出力部２２５、メモリ２２６）は停止しない。
【００６６】
これにより、休止期間中であっても、画像処理ブロック２２０から、上述したように、ＢＬ輝度制御信号生成ブロック２３０へはＢＬ制御パラメータは出力され続ける。ここで、休止期間中に画像処理ブロック２２０から出力されるＢＬ制御パラメータは、休止期間開始直前のフレームに対応したＢＬ制御パラメータ（メモリ２２６に格納されているデータ）である。
【００６７】
したがって、ＢＬ輝度制御信号生成ブロック２３０は、休止期間中には、休止期間開始直前のフレームに対応したＢＬ制御パラメータに応じたＰＷＭ信号を生成し、バックライトユニット制御部７００（図２）に出力し続けることになる。
【００６８】
したがって、休止期間中であっても、常にＢＬ制御パラメータに応じたＰＷＭ信号が出力されるので、休止期間中にＰＷＭ信号が出力されないことによる表示の不具合は起こらない。
【００６９】
しかも、休止期間中に出力されるＰＷＭ信号は、休止期間開始直前のフレームに対応するＰＷＭ信号であるので、駆動期間から休止期間に切り替わっても違和感のない表示の輝度となる。
【００７０】
以上のことから、上記構成の表示装置のように、消費電力の低減化のために、入力画像に合わせてバックライトの輝度を制御すると共に、駆動期間と休止期間とを交互に切り替えて表示を行う場合において、駆動期間から休止期間に切り替わる際の画像のちらつきを無くし、表示品位の高い表示を実現することが可能となる。
【００７１】
ところで、表示パネル５００として液晶パネルを用いた場合、明るい画像から暗い画像に切り替わるように制御しても、液晶の応答速度の関係上、明るい画像から徐々に暗い画像に切り替わる。このため、本実施の形態のように、明るい画像から暗い画像に切り替わっても、しばらくの間、休止期間中は、休止期間開始直前のフレームに対応するＰＷＭ信号によるバックライトの輝度なので、輝度の変化がないようにして、液晶の応答が完了した後で、ＢＬ制御パラメータを目標値２００から１０に切り替わるようにしているので、バックライトの輝度の切り替わり開始が、明るい画像から暗い画像への切り替わり開始よりも遅れるので、実際に画像が暗くなるのと、バックライトの輝度が切り替わるのをほぼ同じ時期にすることが可能となり、その結果、輝度の切り替わりの部分で表示画像にちらつきが生じる虞がない。
【００７２】
しかしながら、切り替わる画像の輝度差が大きい場合には、上記の方法では十分に対応することができない。つまり、切り替わる画像の輝度差が大きい場合には、バックライトの輝度が急に切り替わったようになり、輝度差に起因するちらつきが生じる。
【００７３】
そこで、休止期間終了後に、バックライトの輝度が急に切り替わらずに、徐々に切り替わるようにした例を、後述する実施の形態２，３で説明する。
【００７４】
＜実施の形態２＞
本発明の他の実施の形態について説明すれば、以下の通りである。
【００７５】
なお、説明の便宜上、前記実施の形態１にて説明した図面と同じ機能を有する部材については、同じ符号を付記し、その説明を省略する。
【００７６】
（ディミング処理）
本実施の形態では、休止期間終了後に、バックライトの輝度が急に切り替わらずに、徐々に切り替わるようにするために、ディミング処理を行う例について説明する。
【００７７】
図５は、画像処理ブロック２２０とＢＬ輝度制御信号生成ブロック２３０との関係を模式的に示した図である。
【００７８】
図６の（ａ）〜図６の（ｄ）は、図５に示す入力画像信号、休止判別信号、ＢＬ制御パラメータ、ＰＷＭ信号の関係を示す図である。
【００７９】
上記画像処理ブロック２２０は、図５に示すように、ディミング処理部２２７を有している。
【００８０】
上記ディミング処理部２２７は、前記実施の形態１の図１に示すＢＬ制御パラメータ算出部２２４と出力部２２５との間に設けられているものとする。
【００８１】
つまり、上記ディミング処理部２２７は、ＢＬ制御パラメータ算出部２２４から出力されるＢＬ制御パラメータに対してディミング処理を行う。ディミング処理の詳細については後述する。
【００８２】
まず、上記画像処理ブロック２２０には、入力画像信号と休止判別信号とが入力される。ここで、入力画像信号は、図６の（ａ）に示すように、明るい画像（目標値２００）と暗い画像（目標値１０）とを含む信号とする。また、休止判別信号は、図６の（ｂ）に示すように、ハイレベルとローレベルの二値の信号であり、所定の周期で休止期間（ハイレベル）と駆動期間（ローレベル）とが切り替えられている。本実施の形態では、明るい画像から暗い画像に切り替わるタイミングと、休止期間の立ち上がりのタイミングとが同じになっている。
【００８３】
また、上記画像処理ブロック２２０は、図５に示すように、入力画像信号を解析し、画像処理を行ってＢＬ制御パラメータを算出し、ディミング処理部２２７にてディミング処理が施されたＢＬ制御パラメータをＢＬ輝度制御信号生成ブロック２３０に出力する。ここで、ディミング処理前に算出されるＢＬ制御パラメータは、明るい画像の目標値２００に対応する値（２００）、暗い画像の目標値１０に対する値（１０）とする。ディミング処理部２２７では、図６の（ｃ）に示すように、これら２つの値を平均化した目標値１０５を求めて、この目標値１０５に対する値（１０５）のＢＬ制御パラメータを出力する。
【００８４】
すなわち、画像処理ブロック２２０からは、図６の（ｃ）に示すように、休止期間の間、休止期間開始直前のフレームに対応するＢＬ制御パラメータが出力されるので、明るい画像から暗い画像に切り替わっても、休止期間の間（休止判別信号がハイレベルの間）は、休止期間開始直前のフレームに対応するＢＬ制御パラメータとして目標値２００に対応するＢＬ制御パラメータが出力され、休止期間が終了した直後から次の休止期間が終了するまで、上記した中間値であるＢＬ制御パラメータとして目標値１０５に対応するＢＬ制御パラメータが出力される。
【００８５】
なお、本実施の形態では、目標値２００と目標値１０との中間値を、平均値１０５としたが、この中間値は平均値でなくて、２つの目標値の間の値であればよい。
【００８６】
中間値の求め方として、例えばディミング期間（Ｎフレームとする）を決めて、現在値と目標値の差（Ｄとする）をＮで割って、１フレームにＤ／Ｎずつ値を変化させる（目標値に変動があれば再計算する）方法を挙げることができる。このようにして変化させた値を中間値として用いる。
【００８７】
上記ＢＬ輝度制御信号生成ブロック２３０からは、図５に示すように、入力されるＢＬ制御パラメータに対応するＰＷＭ信号が出力される。ここでは、ＰＷＭ信号は、図６の（ｄ）に示すように、ＢＬ制御パラメータが目標値２００に対応している間は、目標値２００に対するＰＷＭ信号を出力する。そして、明るい画像から暗い画像に切り替わって、休止期間が終了した時点で、ＢＬ制御パラメータが目標値２００から１０５に切り替わって、目標値１０５に対するＰＷＭ信号を出力する。さらに、次の休止期間が終了した時点で、ＢＬ制御パラメータが目標値１０５から１０に切り替わるので、これに伴って、目標値１０に対するＰＷＭ信号を出力する。
【００８８】
以上のように、上記画像処理ブロック２２０では、入力される休止判別信号がハイレベルのとき（休止期間）には、図２に示すように、当該画像処理ブロック２２０を構成している画像処理に関わっているブロック（画像解析部２２１、階調変換部２２２、階調特性決定部２２３、ＢＬ制御パラメータ算出部２２４））は停止し、バックライト駆動に関わっているブロック（出力部２２５、メモリ２２６）は停止しない。
【００８９】
これにより、休止期間中であっても、画像処理ブロック２２０から、上述したように、ＢＬ輝度制御信号生成ブロック２３０へはＢＬ制御パラメータは出力され続ける。ここで、休止期間中に画像処理ブロック２２０から出力されるＢＬ制御パラメータは、休止期間開始直前のフレームに対応したＢＬ制御パラメータ（メモリ２２６に格納されているデータ）である。
【００９０】
したがって、ＢＬ輝度制御信号生成ブロック２３０は、休止期間中には、休止期間開始直前のフレームに対応したＢＬ制御パラメータに応じたＰＷＭ信号を生成し、バックライトユニット制御部７００（図２）に出力し続けることになる。
【００９１】
したがって、休止期間中であっても、常にＢＬ制御パラメータに応じたＰＷＭ信号が出力されるので、休止期間中にＰＷＭ信号が出力されないことによる表示の不具合は起こらない。
【００９２】
しかも、休止期間中に出力されるＰＷＭ信号は、休止期間開始直前のフレームに対応するＰＷＭ信号であるので、駆動期間から休止期間に切り替わっても違和感のない表示の輝度となる。
【００９３】
以上のことから、上記構成の表示装置のように、消費電力の低減化のために、入力画像に合わせてバックライトの輝度を制御すると共に、駆動期間と休止期間とを交互に切り替えて表示を行う場合において、駆動期間から休止期間に切り替わる際の画像のちらつきを無くし、表示品位の高い表示を実現することが可能となる。
【００９４】
さらに、明るい画像から暗い画像に切り替わるときに、最初の休止期間中は、休止期間開始直前のフレームに対応するＰＷＭ信号し、休止期間終了後から次の休止期間終了までの間には、直ぐに暗い画像に対応するＢＬ制御パラメータを出力するのではなく、中間値のＢＬ制御パラメータを出力するようになっているので、切り替わる画像の明るさが極端に異なる場合では、輝度の切り替わりの部分で表示画像に生じるちらつきを低減することができる。
【００９５】
なお、本実施の形態では、画像処理ブロック２２０内でディミング処理を行っているが、ＢＬ輝度制御信号生成ブロック２３０内でディミング処理を行ってもよい。この例について、以下の実施の形態３において説明する。
【００９６】
＜実施の形態３＞
本発明の他の実施の形態について説明すれば、以下の通りである。
【００９７】
なお、説明の便宜上、前記実施の形態１にて説明した図面と同じ機能を有する部材については、同じ符号を付記し、その説明を省略する。
【００９８】
（ディミング処理）
本実施の形態では、休止期間終了後に、バックライトの輝度が急に切り替わらずに、徐々に切り替わるようにするために、ディミング処理を行う例について説明する。
【００９９】
図７は、画像処理ブロック２２０とＢＬ輝度制御信号生成ブロック２３０との関係を模式的に示した図である。
【０１００】
図８の（ａ）〜図８の（ｄ）は、図７に示す入力画像信号、休止判別信号、ＢＬ制御パラメータ、ＰＷＭ信号の関係を示す図である。
【０１０１】
ここで、前記実施の形態２と異なるのは、ディミング処理を行うところが、画像処理ブロック２２０内ではなく、ＢＬ輝度制御信号生成ブロック２３０内である点である。すなわち、ＢＬ輝度制御信号生成ブロック２３０は、図７に示すように、ディミング処理部２３１を有している。
【０１０２】
上記ディミング処理部２３１は、ＢＬ輝度制御信号生成ブロック２３０内のＰＷＭ信号を生成する回路の手前に設けられている。つまり、ＢＬ輝度制御信号生成ブロック２３０は、ＢＬ制御パラメータを受け取ると、内部パラメータに変換して、内部パラメータに対応するようにＰＷＭ信号を生成して、出力するようになっている。この内部パラメータを上記ディミング処理部２３１が生成している。
【０１０３】
まず、上記画像処理ブロック２２０には、入力画像信号と休止判別信号とが入力される。ここで、入力画像信号は、図８の（ａ）に示すように、明るい画像（目標値２００）と暗い画像（目標値１０）とを含む信号とする。また、休止判別信号は、図８の（ｂ）に示すように、ハイレベルとローレベルの二値の信号であり、所定の周期で休止期間（ハイレベル）と駆動期間（ローレベル）とが切り替えられている。本実施の形態では、明るい画像から暗い画像に切り替わるタイミングと、休止期間の立ち上がりのタイミングとが同じになっている。
【０１０４】
また、上記画像処理ブロック２２０は、図７に示すように、入力画像信号を解析し、画像処理を行ってＢＬ制御パラメータを算出し、このＢＬ制御パラメータをＢＬ輝度制御信号生成ブロック２３０に出力する。ここで、ＢＬ制御パラメータは、明るい画像の目標値２００に対応する値（２００）、暗い画像の目標値１０に対する値（１０）とする。
【０１０５】
画像処理ブロック２２０からは、休止期間の間、休止期間開始直前のフレームに対応するＢＬ制御パラメータが出力されるので、図８の（ｃ）に示すように、明るい画像から暗い画像に切り替わっても、休止期間の間（休止判別信号がハイレベルの間）は、休止期間開始直前のフレームに対応するＢＬ制御パラメータとして目標値２００に対応するＢＬ制御パラメータが出力される。
【０１０６】
上記ＢＬ輝度制御信号生成ブロック２３０は、図７に示すように、上記ＢＬ制御パラメータの他に、画像処理ブロック２２０に入力される休止判別信号と同じ休止判別信号が入力され、ディミング処理部２３１にてディミング処理された内部パラメータに応じたＰＷＭ信号が出力される。
【０１０７】
上記ディミング処理部２３１では、画像処理ブロック２２０からのＢＬ制御パラメータ（図８の（ｃ））から、図８の（ｄ）に示す内部パラメータを生成する。ここでは、内部パラメータは、図８の（ｄ）に示すように、ＢＬ制御パラメータが目標値２００に対応している間は、目標値２００に対するＰＷＭ信号を出力し、明るい画像から暗い画像に切り替わって、休止期間が終了した時点で、ＢＬ制御パラメータが目標値２００から１０５に切り替わるが、内部パラメータは、次の休止期間終了まで、目標値２００に対応する値を維持する。そして、次の休止期間終了した時点で、明るい画像と暗い画像とのＢＬ制御パラメータの値の中間値である目標値１０５に対応する内部パラメータを生成し、次の休止期間が終了した時点で、暗い画像のＢＬ制御パラメータの値である目標値１０に対応する内部パラメータを生成する。
【０１０８】
したがって、上記ＢＬ輝度制御信号生成ブロック２３０では、図８の（ｅ）に示すように、上記ディミング処理部２３１にて生成された内部パラメータに応じたＰＷＭ信号を生成し、出力する。
【０１０９】
以上のように、上記画像処理ブロック２２０では、入力される休止判別信号がハイレベルのとき（休止期間）には、図２に示すように、当該画像処理ブロック２２０を構成している画像処理に関わっているブロック（画像解析部２２１、階調変換部２２２、階調特性決定部２２３、ＢＬ制御パラメータ算出部２２４））は停止し、バックライト駆動に関わっているブロック（出力部２２５、メモリ２２６）は停止しない。
【０１１０】
これにより、休止期間中であっても、画像処理ブロック２２０から、上述したように、ＢＬ輝度制御信号生成ブロック２３０へはＢＬ制御パラメータは出力され続ける。ここで、休止期間中に画像処理ブロック２２０から出力されるＢＬ制御パラメータは、休止期間開始直前のフレームに対応したＢＬ制御パラメータ（メモリ２２６に格納されているデータ）である。
【０１１１】
したがって、ＢＬ輝度制御信号生成ブロック２３０は、休止期間中には、休止期間開始直前のフレームに対応したＢＬ制御パラメータに応じたＰＷＭ信号を生成し、バックライトユニット制御部７００（図２）に出力し続けることになる。
【０１１２】
したがって、休止期間中であっても、常にＢＬ制御パラメータに応じたＰＷＭ信号が出力されるので、休止期間中にＰＷＭ信号が出力されないことによる表示の不具合は起こらない。
【０１１３】
しかも、休止期間中に出力されるＰＷＭ信号は、休止期間開始直前のフレームに対応するＰＷＭ信号であるので、駆動期間から休止期間に切り替わっても違和感のない表示の輝度となる。
【０１１４】
以上のことから、上記構成の表示装置のように、消費電力の低減化のために、入力画像に合わせてバックライトの輝度を制御すると共に、駆動期間と休止期間とを交互に切り替えて表示を行う場合において、駆動期間から休止期間に切り替わる際の画像のちらつきを無くし、表示品位の高い表示を実現することが可能となる。
【０１１５】
さらに、明るい画像から暗い画像に切り替わるときに、最初の休止期間中は、休止期間開始直前のフレームに対応するＰＷＭ信号し、休止期間終了後から次の休止期間終了までの間には、直ぐに暗い画像に対応するＢＬ制御パラメータを出力するのではなく、中間値のＢＬ制御パラメータを出力するようになっているので、切り替わる画像の明るさが極端に異なる場合では、輝度の切り替わりの部分で表示画像に生じるちらつきを低減することができる。
【０１１６】
なお、各実施の形態では、表示パネル５００として液晶パネルを想定したが、これに限定されるものではなく、バックライトを用いた表示を行う表示装置であれば本発明を適用することができる。
【０１１７】
また、各実施の形態では、表示パネル５００に光を照射する手段としてバックライトを想定して説明したが、これに限定されるものではなく、表示パネル５００を正面から照射するフロントライトであってもよい。
【０１１８】
上記光源制御パラメータ出力部は、入力画像の階調情報から得られた階調が異なる画像の切り替わるタイミングで、上記休止制御部によって上記表示制御部が休止している休止期間中に、上記休止期間開始直前に、上記光源制御パラメータ算出部によって算出された光源制御パラメータを、上記光源輝度制御信号生成部に出力するようにしてもよい。
【０１１９】
上記光源制御パラメータ算出部によって算出された光源制御パラメータをフレームに対応付けて記憶するメモリを備え、上記光源制御パラメータ出力部は、上記休止制御部によって上記表示制御部が休止している休止期間中、上記メモリから、上記休止期間開始直前のフレームに対応付けられた光源制御パラメータを読み出して上記光源輝度制御信号生成部に出力してもよい。
【０１２０】
上記休止制御部は、上記表示制御部の駆動を停止させるための指示信号として休止信号を、上記光源制御パラメータ出力部に出力し、上記光源制御パラメータ出力部は、休止信号が入力されるタイミングで、上記メモリから上記休止期間開始直前のフレームに対応する光源制御パラメータを読み出して上記光源輝度制御信号生成部に出力してもよい。
【０１２１】
上記光源制御パラメータ算出部は、隣接するフレームの明るさを示す値が異なるとき、２つの明るさを示す値から少なくとも一つの中間値を求めて、それぞれの明るさを示す値に対応した光源制御パラメータを算出してもよい。
【０１２２】
上記の構成によれば、光源制御パラメータ算出部が、隣接するフレームの明るさを示す値が異なるとき、２つの明るさを示す値から少なくとも一つの中間値を求めて、それぞれの明るさを示す値に対応した光源制御パラメータを算出することで、２つの明るさの画像にそれぞれ対応した光源制御パラメータをいきなり切り替える場合よりも、輝度の変化が滑らかになる。
【０１２３】
特に、明るい画像と暗い画像との輝度の差が大きい場合に、このような中間値の光源制御パラメータを生成することは有効である。
【０１２４】
上記光源輝度制御信号生成部は、隣接するフレームの明るさを示す値が異なるとき、２つの明るさを示す値から少なくとも一つの中間値を求めて、それぞれの明るさを示す値に対応した光源輝度制御信号を出力するようにしてもよい。
【０１２５】
上記の構成によれば、光源輝度制御信号生成部が、隣接するフレームの明るさを示す値が異なるとき、２つの明るさを示す値から少なくとも一つの中間値を求めて、それぞれの明るさを示す値に対応した光源輝度制御信号を出力することで、２つの明るさの画像にそれぞれ対応した光源制御パラメータをいきなり切り替えるより、輝度の変化が滑らかになる。
【０１２６】
特に、明るい画像と暗い画像との輝度の差が大きい場合に、このような中間値の光源制御パラメータを生成することは有効である。
【０１２７】
上記表示パネルは、液晶表示パネルであるのが好ましい。
【０１２８】
上記のように、表示パネルが液晶表示パネルである場合に、上記技術は有効である。すなわち、液晶は電圧印加したときの応答が遅いので、例えば明るい画像から暗い画像に切り替えるように電圧を印加した場合、徐々に液晶が応答して、明るい画像から暗い画像に切り替わる。
【０１２９】
このように明るい画像から暗い画像に徐々に切り替わるような場合には、上記のように、光源の輝度も徐々に切り替わるようにすれば、輝度差に起因するちらつきの無い表示品位の高い画像を得ることができる。
【０１３０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１３１】
本発明は、バックライトを用いた表示装置全般に利用することができる。
【符号の説明】
【０１３２】
１００  表示装置
２００  タイミングコントロール部
２１０  タイミング生成ブロック（休止制御部）
２２０  画像処理ブロック（表示制御部）
２２１  画像解析部（表示制御部）
２２２  階調変換部（表示制御部）
２２３  階調特性決定部（表示制御部）
２２４  ＢＬ制御パラメータ算出部（光源制御パラメータ算出部）
２２５  出力部（光源制御パラメータ出力部）
２２６  メモリ
２２７  ディミング処理部
２３０  ＢＬ輝度制御信号生成ブロック（光源輝度制御信号生成部）
２３１  ディミング処理部
３００  走査線駆動回路（表示制御部）
４００  信号線駆動回路（表示制御部）
５００  表示パネル
６００  バックライトユニット（光源）
７００  バックライトユニット制御部（光源輝度制御部）
【図１】
2012141142.tif 000003
【図２】
2012141142.tif 000004
【図３】
2012141142.tif 000005
【図４】
2012141142.tif 000006
【図５】
2012141142.tif 000007
【図６】
2012141142.tif 000008
【図７】
2012141142.tif 000009
【図８】
2012141142.tif 000010
【国際調査報告】
2012141142.tif 000011
2012141142.tif 000012
2012141142.tif 000013
2012141142.tif 000014